(57)【特許請求の範囲】
【請求項１】
給紙トレイに積重ねられた多数の被印刷物の最上面に当接するピックアップローラと、このピックアップローラの搬送方向前方に配したフィードローラと、このフィードローラの下方に配したリタードローラとを備え、前記ピックアップローラと前記フィードローラを回転させて被印刷物を一枚ずつ送り出す印刷装置の給紙ローラ機構において、前記リタードローラに、一定の大きさ以上のトルクが付与されたときに、搬送方向の回転を許容するトルクリミッタを付設するとともに、リタードローラの搬送方向の回転を許容又は阻止する切換機構を備えることを特徴とする印刷装置の給紙ローラ機構。
【請求項２】
前記切換機構は、装着することにより前記リタードローラの搬送方向の回転をロックし、離脱することによりロック解除する着脱式のストッパを備えることを特徴とする請求項１記載の印刷装置の給紙ローラ機構。
【請求項３】
前記切換機構は、操作部の操作により前記リタードローラの搬送方向の回転をロック又はロック解除するロック機構を備えることを特徴とする請求項１記載の印刷装置の給紙ローラ機構。
【発明の詳細な説明】
【０００１】
【発明の属する技術分野】
本発明は、給紙トレイに積重ねられた多数の被印刷物を一枚ずつ送り出す印刷装置の給紙ローラ機構に関する。
【０００２】
【従来の技術】
従来、名刺やはがき等の専用紙に印刷を行う印刷装置は知られており、既に本出願人もこの種の専用紙を印刷する際に用いて好適な印刷装置を、特開２００１−８０８１０号公報等により提案した。
【０００３】
この印刷装置は、装置本体の前面部に配設して用紙を供給する給紙機構と、給紙機構から供給される用紙を装置本体の後面部側へ搬送する前段搬送機構と、この前段搬送機構により搬送される用紙に対して熱転写方式により印字を行う印字機構と、この印字機構により印字された用紙を横Ｕ形の搬送路によりＵターン搬送する後段搬送機構と、装置本体の上面部であって後段搬送機構に囲まれる位置に配設することにより後段搬送機構から排出される用紙を受け取る排紙トレイ機構とを具備し、前段搬送機構により搬送される用紙を、印字機構に備える上方に配したプラテンローラと下方に配したインクリボン及び印字ヘッド（サーマルヘッド）により挟んで印字するものである。
【０００４】
【発明が解決しようとする課題】
ところで、上述した印刷装置に備える給紙機構には、給紙トレイに積重ねられた多数の被印刷物を一枚ずつ送り出す給紙ローラ機構を備えている。この給紙ローラ機構は、給紙トレイに積重ねられた被印刷物の最上面に当接するピックアップローラと、このピックアップローラの搬送方向前方に配したフィードローラと、このフィードローラの下方に配したリタードローラとを有し、ピックアップローラとフィードローラを回転させることによりピックアップローラ及びフィードローラに接する被印刷物を前方へ送り出すとともに、フィードローラに圧接し、かつ搬送方向への回転が規制されたリタードローラにより、一枚の被印刷物のみをを分離して送り出す重送防止機能を備えている。
【０００５】
しかし、この種の印刷装置は、名刺やはがき等の専用紙の印刷を目的とするため、 被印刷物の厚さや紙質等は多種多様となり、特に、厚紙，多層紙等の場合には、搬送方向への回転が規制されたリタードローラに当たった際に、図１に仮想線で示す被印刷物Ｐの先端エッジ部Ｐｓに、捲や皺等の痛みが発生し、被印刷物Ｐ自身の品質を損ねてしまう不具合があった。
【０００６】
本発明は、このような従来の技術に存在する課題を解決したものであり、特に、厚紙，多層紙等の被印刷物に対する給紙時における捲や皺等の痛みの発生を防止し、被印刷物自身の品質が損なわれてしまう不具合を回避できる印刷装置の給紙ローラ機構の提供を目的とする。
【０００７】
【課題を解決するための手段及び実施の形態】
本発明は、給紙トレイ２に積重ねられた多数の被印刷物Ｐ…の最上面に当接するピックアップローラ３と、このピックアップローラ３の搬送方向Ｆｃ前方に配したフィードローラ４と、このフィードローラ４の下方に配したリタードローラ５とを備え、ピックアップローラ３とフィードローラ４を回転させて被印刷物Ｐを一枚ずつ送り出す印刷装置Ｍの給紙ローラ機構１を構成するに際して、リタードローラ５に、一定の大きさ以上のトルクが付与されたときに、搬送方向Ｆｃの回転を許容するトルクリミッタ６を付設するとともに、リタードローラ５の搬送方向Ｆｃの回転を許容又は阻止する切換機構１０を備えることを特徴とする。
【０００８】
この場合、好適な実施の形態により、切換機構１０は、装着することによりリタードローラ５の搬送方向Ｆｃの回転をロックし、離脱することによりロック解除する着脱式のストッパ１１を備えて構成してもよいし、操作部１２の操作によりリタードローラ５の搬送方向Ｆｃの回転をロック又はロック解除するロック機構１３を備えて構成してもよい。
【０００９】
これにより、厚紙，多層紙等の痛みを生じやすい被印刷物Ｐの場合は、リタードローラ５に当たった際に、このリタードローラ５に対して一定の大きさ以上のトルク、即ち、痛みを生じさせる可能性のあるトルクが付与されることにより、このトルクが低下するまでリタードローラ５の回転が許容され、被印刷物Ｐにおける捲や皺等の痛みの発生が回避される。一方、リタードローラ５の回転により重送防止効果は低下してしまうが、普通紙，硬質紙等の痛みを生じにくい被印刷物Ｐの場合は、切換機構１０により、リタードローラ５の搬送方向Ｆｃの回転を阻止することができる。このように、被印刷物Ｐの種類に応じてリタードローラ５の回転を許容するか阻止するかを選択できる。
【００１０】
【実施例】
次に、本発明に係る好適な実施例を挙げ、図面に基づき詳細に説明する。
【００１１】
まず、本発明の理解を容易にするため、印刷装置Ｍを含む印刷システムＳの概要について、図５及び図６を参照して説明する。
【００１２】
図５は、印刷システムＳの全体構成であり、接続ケーブル５１を介して接続した印刷装置ＭとコンピュータＣを備える。コンピュータＣは、汎用パーソナルコンピュータを使用でき、ＣＰＵ等を含む処理部５２、ハードディスク，ＲＯＭ，ＲＡＭ等を含むメモリ５３、双方向パラレルポート５４等を備え、各部はバスライン５５により接続される。また、コンピュータＣには、アプリケーションソフトウェアによりインストールしたプリンタドライバ５６を有し、このプリンタドライバ５６により印刷装置Ｍを動作させる各種印刷条件を設定できる。
【００１３】
一方、印刷装置Ｍは、図５に示すコントローラ５７を備える。コントローラ５７は、処理部５８、メモリ５９、双方向パラレルポート６０等を備え、各部はバスライン６１により接続される。なお、接続ケーブル５１によりコンピュータＣ側の双方向パラレルポート５４と印刷装置Ｍ側の双方向パラレルポート６０が接続される。これにより、コンピュータＣから印字データを印刷装置Ｍに転送するとともに、コンピュータＣのプリンタドライバ５６により印刷装置Ｍを制御して印刷を行う印刷システムＳが構成される。
【００１４】
また、図６には、印刷装置Ｍにおける機械系の概略構成を示す。印刷装置Ｍは、同図の右側が給紙側，左側が排紙側となり、右側の側面部には、給紙機構７１を配設するとともに、左側の側面部にはスタッカ機構７２を配設する。そして、給紙機構７１とスタッカ機構７２間には、給紙機構７１側から、前段搬送機構７３，印字機構７４，後段搬送機構７５を順次配設する。なお、５７はコントローラであり、前述した処理部５８，メモリ５９等を備える。
【００１５】
給紙機構７１は、多数の被印刷物Ｐ…を装填する給紙ガイド機構８１と、この給紙ガイド機構８１に装填された多数の被印刷物Ｐ…から一枚ずつ被印刷物Ｐを送り出す本実施例に係る給紙ローラ機構１を備える。給紙ガイド機構８１は、給紙エレベータ機構８３により上昇する給紙トレイ２を備え、この給紙トレイ２上に多数の被印刷物Ｐが積重ねられる。装填できる被印刷物Ｐには、名刺，はがき，招待状等の単紙類をはじめ、社用封筒，和封筒，洋封筒等の非単紙類が含まれる。一方、給紙ローラ機構１は、ピックアップローラ３，フィードローラ４及びリタードローラ５を備える。この給紙ローラ機構１は、本発明の要部を構成するもので、具体的な構成及び動作は後述する。なお、被印刷物Ｐ…の最上面に当接するピックアップローラ３の高さは不図示のセンサにより検出され、給紙エレベータ機構８３が駆動制御されることにより、被印刷物Ｐの最上面位置が、常に一定の高さに維持される。図６中、仮想線で示す給紙トレイ２が上昇途中の状態を示している。
【００１６】
前段搬送機構７３は、テイクアウェイローラ機構９１，プリレジストローラ機構９２及びレジストローラ機構９３を順次水平方向に配設して構成し、給紙ローラ機構８２から送り出された被印刷物Ｐを印字機構７４まで搬送する機能を有する。なお、各ローラ機構９１〜９３の間隔は、搬送する被印刷物Ｐの最小サイズよりも短い間隔に設定される。特に、プリレジストローラ機構９２とレジストローラ機構９３は、回転動作の制御により、搬送する被印刷物Ｐの角度（向き）を一定に揃えるスキュー修正機能を備えている。
【００１７】
印字機構７４は、搬送される被印刷物Ｐの下側にプラテンローラ９５を配するとともに、上側にインクリボン９６及びサーマルヘッドを用いた印字ヘッド９７を配して構成し、熱転写方式により印字する機能を備えている。なお、インクリボン９６はリボンカセットにより装填し、ロール状に巻かれたインクリボン９６は供給リール９８から繰り出されるとともに、巻取リール９９により巻き取られる。
【００１８】
後段搬送機構７５は、順次配設した第一トランスローラ機構１０１，第二トランスローラ機構１０２及び排出ローラ機構１０３により構成し、印字機構７４により印字された被印刷物Ｐをスタッカ機構７２まで搬送する機能を有する。なお、各ローラ機構１０１〜１０３の間隔は、搬送する被印刷物Ｐの最小サイズよりも短い間隔に設定される。
【００１９】
スタッカ機構７２は、スタッカ１０５を有し、排出ローラ機構１０３から排出された被印刷物Ｐは、印刷面が上を向いた状態でスタッカ１０５上に順次積重ねられる。また、スタッカ１０５は、不図示の弾性支持機構により支持され、積重ねられる被印刷物Ｐの枚数が多くなるに従って下降変位する。図６中、仮想線で示すスタッカ１０５が下降した状態を示している。その他、図６中、１１１はフィードアウトセンサ、１１２はレジストセンサ、１１３は頭出センサ、１１４は排紙センサをそれぞれ示す。
【００２０】
次に、本実施例に係る給紙ローラ機構１の構成について、図１〜図３を参照して具体的に説明する。
【００２１】
給紙ローラ機構１は、給紙トレイ２に積重ねられた被印刷物Ｐ…の最上面に当接するピックアップローラ３と、このピックアップローラ３の搬送方向前方に配したフィードローラ４と、このフィードローラ４に対して搬送方向直角に配したリタードローラ５を備える。
【００２２】
フィードローラ４は、同軸上に取付けたシャフト２０を有し、このシャフト２０は、図３に示すように、本体シャーシ２１により回動自在に支持されるとともに、一端には被動ギア２２を取付ける。この被動ギア２２には不図示のローラ回転駆動機構部から回転伝達される。また、シャフト２０により、図１に仮想線で示すピックアップローラ支持部材２３の一端部を回動自在に支持するとともに、このピックアップローラ支持部材２３により、ピックアップローラ３の同軸上に取付けたシャフト２４を回動自在に支持する。そして、シャフト２０とシャフト２４は、シャフト２０に取付けた第一ギア２５，シャフト２４に取付けた第三ギア２６及び第一ギア２５と第三ギア２６間に配した第二ギア２７からなる回転伝達ギア機構により接続する。これにより、ピックアップローラ３とフィードローラ４は同期回転する。
【００２３】
一方、リタードローラ５は図３に示すローラ支持機構部３０により支持される。ローラ支持機構部３０は、左右にＵ形軸受部を切欠形成したローラ支持部材３１を有し、このローラ支持部材３１は上述した本体シャーシ２１に対して一体に設ける。リタードローラ５は中心にシャフト３２を挿通させ、このシャフト３２とリタードローラ５間にトルクリミッタ６を介在させる。この場合、トルクリミッタ６はリタードローラ５の内部に配設する。これにより、リタードローラ５は、シャフト３２の回転を規制した状態において、周方向に一定の大きさ以上のトルクが付与されれば回転可能となる。なお、リタードローラ５の回転により重送防止効果が低下してしまうため、回転を許容するトルクの大きさは、被印刷物Ｐに対する痛みの発生を防止でき、かつ重送防止効果があまり低下しない大きさを実験等により選定することが望ましい。また、リタードローラ５の左右両端面には、軸方向外方に突出した複数（実施例は四つ）の係止突起部１５…を一体に設け、各係止突起部１５…は、図１に示すように周方向に沿って等間隔に配する。
【００２４】
さらに、リタードローラ５の両側に位置するシャフト３２上には、左右一対のベアリング３３ｐ，３３ｑを装填するとともに、シャフト３２の左右両端にはストッパレバー３４ｐ，３４ｑの一端を取付け、各ストッパレバー３４ｐ，３４ｑはシャフト３２から直角方向に突出させる。この場合、シャフト３２の左右両端はＤカットされており、ストッパレバー３４ｐ，３４ｑはシャフト３２の周方向に規制される。そして、各ベアリング３３ｐ，３３ｑはローラ支持部材３１における左右のＵ形軸受部にそれぞれ収容する。
【００２５】
また、ローラ支持機構部３０には、リタードローラ５をフィードローラ４に圧接させる付勢機構部３５を備える。この付勢機構部３５は、本体シャーシ２１に対して固定した支軸により回動自在に支持され、かつベアリング３３ｐ，３３ｑの下周面に当接する左右一対の押当部材３６ｐ，３６ｑを備えるとともに、押当部材３６ｐと３６ｑ間に架設したスプリング３７を備える。さらに、ローラ支持部材３１に対して固定した規制ロッド支持部３８を設け、この規制ロッド支持部３８により、規制ロッド３９の中央に設けた球面軸受３９ｓを支持する。これにより、規制ロッド３９は球面軸受３９ｓを介して中央部が揺動自在に支持されるとともに、規制ロッド３９の両側に、上述したストッパレバー３４ｐ，３４ｑの先端側がそれぞれ係止する。これにより、シャフト３２に対する搬送方向Ｆｃ（図１）の回転を規制する。
【００２６】
他方、ローラ支持機構部３０には、リタードローラ５の搬送方向Ｆｃの回転を許容又は阻止する切換機構１０を設ける。切換機構１０は、装着することによりリタードローラ５の搬送方向Ｆｃの回転をロックし、離脱することによりロック解除する着脱式のストッパ１１を備え、このストッパ１１と上述した係止突起部１５…により切換機構１０を構成する。
【００２７】
ストッパ１１は、図１及び図２に示すように、ローラ支持部材３１の上面とリタードローラ５の周面間に収容（挿入）する矩形の本体部１１ｍと、この本体部１１ｍの左右両端から上方へ起立し、かつ装着時に係止突起部１５…に係止する係止段差部１１ｐｄ，１１ｑｄを有する係止板部１１ｐ，１１ｑと、本体部１１ｍの前端から下方に延設した取手部１１ｈを有し、全体を合成樹脂等により一体に成形する。
【００２８】
次に、本実施例に係る給紙ローラ機構１を含む印刷装置Ｍの動作（機能）について、各図を参照して説明する。
【００２９】
まず、普通紙，硬質紙等の痛みを生じにくい被印刷物Ｐを印刷する標準印刷の場合は、切換機構１０により、リタードローラ５の回転を阻止する状態にセットする。即ち、ストッパ１１を用意し、このストッパ１１を、ローラ支持部材３１の上面とリタードローラ５の周面間に挿入する。挿入方向を図１に矢印Ｆｓで示す。この場合、ストッパ１１を完全に挿入（装着）すれば、取手部１１ｈがローラ支持部材３１の前端辺に係止して位置規制され、かつ係止段差部１１ｐｄ，１１ｑｄは、リタードローラ５のシャフト３２の真下に位置する。これにより、最初にフィードローラ４が搬送方向Ｆｃに回転すれば、一緒にリタードローラ５が回転するも、直ぐに係止突起部１５…が係止段差部１１ｐｄ，１１ｑｄに係止し、リタードローラ５の搬送方向Ｆｃの回転が阻止される。これにより、普通紙等の痛みを生じにくい被印刷物Ｐの印刷時には、リタードローラ５の回転を規制できる。
【００３０】
一方、印刷時には、被印刷物Ｐを給紙トレイ２上に装填する。そして、コンピュータＣのプリンタドライバ５６を起動させ、ディスプレイに表示されるプロパティ画面から被印刷物Ｐの種類を選択するとともに、各種印刷条件の設定及び印字データの選択等を行う。なお、電源投入時には、印字ヘッド９７及びインクリボン９６（リボンカセット）は、プラテンローラ９５から離間している。
【００３１】
この後、開始キーをＯＮにすれば、コンピュータＣから設定データ及び印字データが印刷装置Ｍのコントローラ５７に転送されるとともに、印刷装置Ｍの印刷準備が完了すれば、給紙ローラ機構１が作動し、給紙トレイ２上に装填された被印刷物Ｐは、回転するピックアップローラ３により前方へ送り出されるとともに、回転するフィードローラ４と回転が阻止されたリタードローラ５により一枚ずつ分離されて前方に送り出される。給紙ローラ機構１から送り出された被印刷物Ｐは、前段搬送機構７３により搬送され、その先端が頭出センサ１１３により検出されれば、予め設定された第一設定時間Ｔ１が経過した後、コントローラ５７により不図のリリース駆動部が駆動制御され、印字ヘッド９７及びインクリボン９６（リボンカセット）が下降し、インクリボン９６が被印刷物Ｐの上面に圧接することにより所定の印字処理が行われる。
【００３２】
被印刷物Ｐがさらに搬送され、頭出センサ１１３による検出時点から第二設定時間Ｔ２が経過すれば、コントローラ５７により不図示のリリース駆動部が駆動制御され、印字ヘッド９７及びインクリボン９６を上昇させることにより、被印刷物Ｐの上面から離間させる。この後、印刷された被印刷物Ｐは、後段搬送機構７５により搬送され、排出ローラ機構１０３から排出されることにより、スタッカ機構７２におけるスタッカ１０５上に順次積重ねられる。
【００３３】
他方、厚紙，多層紙等の痛みを生じやすい被印刷物Ｐの場合は、切換機構１０により、リタードローラ５の回転を許容する状態にセットする。即ち、装着されているストッパ１１の取手部１１ｈを手で持ち、そのまま引き抜くことにより、ストッパ１１を、ローラ支持部材３１の上面とリタードローラ５の周面間から離脱させる。これにより、給紙時には、給紙トレイ２上に装填された被印刷物Ｐが、回転するピックアップローラ３により前方へ送り出されるも、被印刷物Ｐがリタードローラ５に当たった際に、リタードローラ５に対して一定の大きさ以上のトルク（痛みを生じさせる可能性のあるトルク）が付与されれば、このトルクが低下するまでリタードローラ５の回転が許容される。換言すれば、リタードローラ５からは被印刷物Ｐに対して一定の大きさ以上のトルクが付与されることがなく、被印刷物Ｐにおける捲や皺等の痛みの発生が防止される。なお、印刷時におけるその他の動作は、上述した標準印刷の場合と同じである。
【００３４】
図４には、給紙ローラ機構１の変更実施例を示す。変更実施例は、切換機構１０を構成する際して、操作部１２の操作によりリタードローラ５の搬送方向Ｆｃの回転をロック又はロック解除するロック機構１３を用いたものである。この場合、操作部１２は、印刷装置Ｍ（又はコンピュータＣ）に備える切換キー４１となる。また、ロック機構１３は、回転駆動部４２と、この回転駆動部４２により回転する楕円形の切換カム４３と、ローラ支持部材３１の上面に配設した支軸部４４により回動自在に支持される左右一対の係止アーム部４５ｐ，４５ｑと、この係止アーム部４５ｐと４５ｑ間に架設したスプリング４６を備える。なお、このロック機構１３と係止突起部１５…により切換機構１０を構成する。
【００３５】
これにより、普通紙，硬質紙等の痛みを生じにくい被印刷物Ｐを印刷する標準印刷の場合は、切換キー４１を切換操作し、回転駆動部４２を駆動制御することにより、切換カム４３を図４に示す実線位置へ変位させれば、各係止アーム部４５ｐ，４５ｑにおける切換カム４３に接する部位を狭めることができるため、各係止アーム部４５ｐ，４５ｑはリタードローラ５の両端面に当接し、かつ係止突起部１５…に係止する。一方、厚紙，多層紙等の痛みを生じやすい被印刷物Ｐを印刷する場合は、切換キー４１を切換操作し、回転駆動部４２を駆動制御することにより、切換カム４３を９０〔°〕回転させれば、切換カム４３は図４に示す仮想線位置へ変位し、各係止アーム部４５ｐ，４５ｑにおける切換カム４３に接する部位を広げることができる。この結果、各係止アーム部４５ｐ，４５ｑはリタードローラ５の両端面から離間し、係止突起部１５…との係止が解除される。したがって、変更実施例に係る切換機構１０においても、上述したストッパ１１を用いる場合と同様に機能させることができる。なお、変更実施例の場合には、プリンタドライバ５６のプロパティ画面で被印刷物Ｐの種類を選択することにより自動で切換えられるようにしてもよい。その他、図４において図３と同一部分には同一符号を付してその構成を明確にした。
【００３６】
このように、本実施例（変更実施例）に係る給紙ローラ機構１によれば、厚紙，多層紙等の痛みを生じやすい被印刷物Ｐがリタードローラ５に当たり、リタードローラ５に対して一定の大きさ以上のトルク（痛みを生じさせる可能性のあるトルク）が付与されれば、このトルクが低下するまでリタードローラ５の回転が許容されるため、被印刷物Ｐにおける捲や皺等の痛みの発生が防止され、被印刷物Ｐ自身の品質を損ねてしまう不具合が回避される。また、切換機構１０により、被印刷物Ｐの種類に応じてリタードローラ５の回転を許容するか阻止するかを選択できるため、普通紙，硬質紙等の痛みを生じにくい被印刷物Ｐの場合は、リタードローラ５の搬送方向Ｆｃの回転を阻止することにより、リタードローラ５が回転することによる重送防止効果の低下を回避できる。さらに、切換機構１０は、装着することによりリタードローラ５の搬送方向Ｆｃの回転をロックし、離脱することによりロック解除する着脱式のストッパ１１を利用して構成できるため、極めて低コストに実施できる。一方、切換機構１０を、操作部１２の操作によりリタードローラ５の搬送方向Ｆｃの回転をロック又はロック解除するロック機構１３を備えて構成すれば、マニュアル切換の煩わしさが回避されるため、作業能率及び利便性が高められる。
【００３７】
以上、実施例について詳細に説明したが、本発明はこのような実施例に限定されるものではなく、細部の構成，形状，数量，素材等において、本発明の要旨を逸脱しない範囲で任意に変更，追加，削除することができる。例えば、実施例は、トルクリミッタ６をリタードローラ５の内部に配設した場合を示したが、外部に配設してもよい。また、トルクリミッタ６によるトルクの設定は、固定式でもよいし可変式でもよい。可変式の場合は、連続的に変化させてもよいし二個以上のトルクリミッタ６…を切換えて段階的に変化させてもよい。さらに、ストッパ１１は、着脱式ではなく、装着した状態のストッパ１１をスライド変位等により切換えてもよい。
【００３８】
【発明の効果】
このように、本発明は、給紙トレイに積重ねられた多数の被印刷物の最上面に当接するピックアップローラと、このピックアップローラの搬送方向前方に配したフィードローラと、このフィードローラの下方に配したリタードローラとを備え、ピックアップローラとフィードローラを回転させて被印刷物を一枚ずつ送り出す印刷装置の給紙ローラ機構において、リタードローラに、一定の大きさ以上のトルクが付与されたときに、搬送方向の回転を許容するトルクリミッタを付設するとともに、リタードローラの搬送方向の回転を許容又は阻止する切換機構を備えるため、次のような顕著な効果を奏する。
【００３９】
（１）  特に、厚紙，多層紙等の被印刷物に対する給紙時における捲や皺等の痛みの発生を防止し、被印刷物自身の品質を損ねてしまう不具合を回避することができる。
【００４０】
（２）  リタードローラの搬送方向の回転を許容又は阻止する切換機構を設けたため、被印刷物の種類に応じてリタードローラの回転を許容するか阻止するかを選択できる。
【００４１】
（３）  好適な実施の形態により、切換機構を、着脱式のストッパを備えて構成すれば、極めて容易かつ低コストに実施できるとともに、切換機構を、操作部の操作によりリタードローラの搬送方向の回転をロック又はロック解除するロック機構を備えて構成すれば、マニュアル切換の煩わしさを回避でき、作業能率及び利便性を高めることができる。
【図面の簡単な説明】
【図１】本発明の好適な実施例に係る給紙ローラ機構の一部を省略した一部断面側面構成図、
【図２】同給紙ローラ機構に用いるストッパの正面図、
【図３】同給紙ローラ機構の一部を省略した一部断面正面構成図、
【図４】本発明の変更実施例に係る給紙ローラ機構の一部を省略した一部断面正面構成図、
【図５】同給紙ローラ機構を備える印刷装置を含む印刷システムの概要図、
【図６】同給紙ローラ機構を備える印刷装置の機械系の概略構成図、
【符号の説明】
１    給紙ローラ機構
２    給紙トレイ
３    ピックアップローラ
４    フィードローラ
５    リタードローラ
６    トルクリミッタ
１０  切換機構
１１  ストッパ
１２  操作部
１３  ロック機構
Ｐ…  被印刷物
Ｆｃ  搬送方向
Ｍ    印刷装置
【図１】
0003806332.tif 000002
【図２】
0003806332.tif 000003
【図３】
0003806332.tif 000004
【図４】
0003806332.tif 000005
【図５】
0003806332.tif 000006
【図６】
0003806332.tif 000007